(57)【特許請求の範囲】
【請求項１】
梱包箱の上部に設けられ製品を出し入れする、内フラップと前記内フラップの上部を覆う外フラップと、
前記梱包箱内に収納した包装支持部材と、
前記内フラップに形成され、保証書付き取扱説明書の幅より大きな長さの開口部と、
前記包装支持部材に形成した切り欠き段差部と、を備えた梱包箱において、
前記保証書付き取扱説明書の一端を前記開口部に挿入して、前記内フラップの上面に出た前記保証書付き取扱説明書を前記外フラップで押さえ、
前記内フラップの下面に出た側の保証書付き取扱説明書の他端面が、前記包装支持部材に設けた切り欠き段差部に当接し、止まるように構成し、
前記包装支持部材に、前記切り欠き段差部から、前記内フラップの開口部方向に向けて、下方に傾斜する勾配を設け、前記保証書付き取扱説明書が、前記内フラップと前記包装支持部材の前記勾配が設けられた部分との間の空間に位置するようにした梱包箱。
【請求項２】
前記内フラップを閉じたときに前記内フラップの内面と前記包装支持部材との上下方向の隙間を、前記切り欠き段差部の位置の隙間より大きくなるように形成した請求項１に記載の梱包箱。
【請求項３】
前記内フラップに形成した開口部の保証書付き取扱説明書の厚み方向の幅が、１０±５ｍｍとした請求項１または２に記載の梱包箱。
【発明の詳細な説明】
【技術分野】
【０００１】
本願発明は、保証書付き取扱説明書を添付して製品を梱包する梱包箱に関するものである。
【背景技術】
【０００２】
従来から販売店等では、販売店が製品を販売する際に、梱包箱から保証書または、保証書付き取扱説明書を取り出して、保証期間の起算日や販売店名などを記載した後に、再度梱包箱内に戻す作業が行われている。
【０００３】
このような作業が行われる従来の梱包箱としては、梱包箱の内フラップに、保証書等の幅より大きな長さの切込線を形成し、梱包箱の外フラップに前記切込線に挿入した保証書等の上方に位置して、２本のミシン目を、保証書等の幅よりも短い間隔で形成し、保証書等を内フラップの前記切込線に挿入して、保証書等を取出し自在に梱包箱の頂面に内装することを特徴とする、梱包箱における保証書等の収納構造が開示されている（例えば、特許文献１参照）。
【０００４】
しかし、従来の梱包箱への保証書等の収納構造では、保証書付き取扱説明書の場合、保証書付き取扱説明書を切込線に挿入しようとすると、切込線より分厚いため挿入しにくい。また、保証書付き取扱説明書は保証書単体よりも重く、梱包箱を落とした場合、落下の衝撃で梱包箱の中にずれ落ちてしまうという課題があった。
【先行技術文献】
【特許文献】
【０００５】
【特許文献１】登録実用新案第３００４１８９号公報
【発明の概要】
【発明が解決しようとする課題】
【０００６】
本発明は、保証書付き取扱説明書を添付して製品を梱包する梱包箱において、保証書よりも分厚い保証書付き取扱説明書を簡単に収納でき、かつ、梱包箱を落としても、落下の衝撃で保証書よりも重い保証書付き取扱説明書が、梱包箱の中にずれ落ちないようにした梱包箱を提供することを目的とする。
【課題を解決するための手段】
【０００７】
上記従来の課題を解決するために、本発明の梱包箱は、梱包箱の上部に設けられ製品を出し入れする、内フラップと前記内フラップの上部を覆う外フラップと、前記梱包箱内に収納した包装支持部材と、前記内フラップに形成され、保証書付き取扱説明書の幅より大きな長さの開口部と、前記包装支持部材に形成した切り欠き段差部と、を備えた梱包箱に
おいて、前記保証書付き取扱説明書の一端を前記開口部に挿入して、前記内フラップの上面に出た前記保証書付き取扱説明書を前記外フラップで押さえ、前記内フラップの下面に出た側の保証書付き取扱説明書の他端面が、前記包装支持部材に設けた切り欠き段差部に当接し、止まるように構成し、前記包装支持部材に、前記切り欠き段差部から、前記内フラップの開口部方向に向けて、下方に傾斜する勾配を設け、前記保証書付き取扱説明書が、前記内フラップと前記包装支持部材の前記勾配が設けられた部分との間の空間に位置するようにしたものである。
【０００８】
これにより、内フラップの上面に出た保証書付き取扱説明書を外フラップで押さえることによって、保証書付き取扱説明書を内フラップと外フラップの間で挟み込み、摩擦で動き難くして収納することができる。
【０００９】
さらに、保証書よりも分厚く重い、保証書付き取扱説明書でも梱包箱を落下した時に、
保証書付き取扱説明書の端が包装支持部材に形成した切り欠き段差部で止まり、落下の衝撃で保証書付き取扱説明書が梱包箱の中にずれ落ちてしまうことを防止できる。
【発明の効果】
【００１０】
本発明は、内フラップの上面に出た保証書付き取扱説明書を外フラップで押さえることによって、保証書付き取扱説明書を内フラップと外フラップの間で挟み込み、摩擦で動き難くして収納することができる。さらに、保証書よりも分厚く重い、保証書付き取扱説明書でも梱包箱を落下した時に、保証書付き取扱説明書の端が包装支持部材に形成した切り欠き段差部で止まり、落下の衝撃で保証書付き取扱説明書が梱包箱の中にずれ落ちてしまうことを防止できる梱包箱を提供するものである。
【図面の簡単な説明】
【００１１】
【図１】本発明の実施形態１における梱包箱の斜視図
【図２】同、梱包箱における上面の外フラップを開けた状態の斜視図
【図３】同、梱包箱における包装支持部材を内包した状態の斜視図
【図４】同、梱包箱における包装支持部材によって製品を支持収納した状態の斜視図
【図５】同、梱包箱における内フラップに配置された開口部の部分拡大図
【図６】同、梱包箱において保証書付き取扱説明書を開口部に挿入収納した状態の斜視図
【図７】（ａ）同、梱包箱において外フラップ端面が見える側からの側面図，（ｂ）同、梱包箱において、包装支持部材の勾配を示した図７（ａ）のＡ−Ａ断面図
【図８】同、梱包箱において保証書付き取扱説明書を収納し外フラップがテープで封緘された状態の斜視図
【発明を実施するための形態】
【００１２】
第１の発明は、梱包箱の上部に設けられ製品を出し入れする、内フラップと前記内フラップの上部を覆う外フラップと、前記梱包箱内に収納した包装支持部材と、前記内フラップに形成され、保証書付き取扱説明書の幅より大きな長さの開口部と、前記包装支持部材に形成した切り欠き段差部と、を備えた梱包箱において、前記保証書付き取扱説明書の一端を前記開口部に挿入して、前記内フラップの上面に出た前記保証書付き取扱説明書を前記外フラップで押さえ、前記内フラップの下面に出た側の保証書付き取扱説明書の他端面が、前記包装支持部材に設けた切り欠き段差部に当接し、止まるように構成したものである。
【００１３】
これにより、内フラップの上面に出た保証書付き取扱説明書を外フラップで押さえることによって、保証書付き取扱説明書を内フラップと外フラップの間で挟み込み、摩擦で動き難くして収納することができる。
【００１４】
さらに、保証書よりも分厚く重い、保証書付き取扱説明書でも梱包箱を落下した時に、保証書付き取扱説明書の端が包装支持部材に形成した切り欠き段差部で止まり、落下の衝撃で保証書付き取扱説明書が梱包箱の中にずれ落ちてしまうことを防止できる。
【００１５】
第２の発明は、特に、第１の発明の包装支持部材に、切り欠き段差部から、内フラップの開口部方向に向けて、下方に傾斜する勾配を設け、前記内フラップを閉じたときに前記内フラップの内面と前記包装支持部材との上下方向の隙間を、前記切り欠き段差部の位置の隙間より大きくなるように形成したものである。
【００１６】
これにより、内フラップを閉じたときに内フラップの内面と包装支持部材との上下方向の隙間を、切り欠き段差部の位置の隙間より大きくするように形成でき、内フラップにより下側に押さえられた保証書付き取扱説明書が、下方に傾斜する勾配によってできた隙間
によって、包装支持部材と接触して干渉することを防ぐことができ、保証書付き取扱説明書に接触による跡付きができるのを防止することができる。
【００１７】
第３の発明は、特に、第１または第の発明の内フラップに形成した開口部の保証書付き取扱説明書の厚み方向の幅が、１０±５ｍｍとしたものである。
これにより、保証書よりも分厚い保証書付き取扱説明書を開口部に入れ易く、外れ難くすることができる。
（実施の形態１）
図１から図８に本発明の実施の形態を示し、以下、これらの図に基づき説明する。
図１から図７に示すように、１は梱包箱で、図２に示すように、上方から製品４を収納した後、梱包箱１の天面を覆い蓋をする内フラップ２と外フラップ３を設けた段ボール紙からなる。
【００１８】
対向する１対の内フラップ２は先に内側に折り曲げられ、内側に折られた内フラップ２の上部を覆いかぶさるように、対向する１対の外フラップ３が内側に折り曲げられることで、梱包箱１の上部開口が閉塞されて箱状に形成されるようになっている。
【００１９】
図３、４に示すように、この梱包箱１の内側には、製品４を仕切りかつ、梱包箱１の補強する段ボール製の仕切り枠材と、製品４を包装する発泡スチロール製の緩衝体（図示せず）からなる、包装支持部材５が収納されている。
【００２０】
さらに、図５に示すように、梱包箱１の内フラップ２には、保証書付き取扱説明書６の挿入装着が容易にできるように、保証書付き取扱説明書６の横幅（挿入方向に対し鉛直方向の幅）より大きな長さの開口部７を形成し、開口部７の横方向の幅ａは、ａ＝保証書付き取扱説明書６の横幅寸法＋２０±５ｍｍとしている。
【００２１】
また、開口部７の保証書付き取扱説明書６の厚み方向の幅ｂは、保証書付き取扱説明書６が開口部７に入れ易く、外れにくい寸法として、ｂ＝１０±５ｍｍとしている。
【００２２】
図６に示すように、以上のような寸法にした開口部７に対し、保証書付き取扱説明書６を内フラップ２の開口部７に挿入する。その際、保証書付き取扱説明書６の一端部は、開口部７から数センチ露出させ、梱包箱１の隅からはみ出ない様にしている。
【００２３】
また、保証書付き取扱説明書６の他端部は、上述の包装支持部材５に設けた切り欠き段差部８で保証書付き取扱説明書６の端面が当たるように設定している。
【００２４】
また、図７（ｂ）に示すように、内フラップ２の開口部７に保証書付き取扱説明書６を挿入した状態で、内フラップ２の上面に数センチ露出した保証書付き取扱説明書６を外フラップ３で挟むことによって、保証書付き取扱説明書６を押さえつけて摩擦で動き難くして収納している。
【００２５】
さらに、内フラップ２の下面に出た側の保証書付き取扱説明書６の端面が、包装支持部材５に設けた切り欠き段差部８に当接し、止まるようにしているため、梱包箱１を落下させても、保証書付き取扱説明書６の端面が包装支持部材５に設けた切り欠き段差部８で止まり、落下の衝撃で保証書付き取扱説明書６が梱包箱１の中にずれ落ちてしまうことを防止することができるようにしている。
【００２６】
またさらに、包装支持部材５に、切り欠き段差部８から、内フラップ２の開口部７方向に向けて、下方に傾斜する勾配９を設けたことにより、内フラップ２を閉じたときに内フラップ２の内面と包装支持部材５との上下方向の隙間１０を、切り欠き段差部８の位置の
隙間１０より大きくするように形成した。
【００２７】
これにより、内フラップ２により下側に押さえられた保証書付き取扱説明書６が、下方に傾斜する勾配９によってできた隙間１０によって、包装支持部材５と接触して干渉することを防ぐことができ、保証書付き取扱説明書６に接触による跡付きができるのを防止することができる。
【００２８】
次に図８を用いて、販売店等で顧客が製品を購入した際に、保証書付き取扱説明書６へ必要事項を記載する際の作業について説明する。
【００２９】
先ず、販売店員がテープで封緘された梱包箱１の上面の外フラップ３に形成された２本のミシン目１１を切断して折り曲げ部１２を開くことにより、保証書付き取扱説明書６の上部を掴み、保証書付き取扱説明書６を開口部７に向かって斜めに引き出して、開口部７から保証書付き取扱説明書６を取り出す。
【００３０】
そして、保証書付き取扱説明書６に保証期間の起算日や販売店等の必要事項を記入したあと、保証書付き取扱説明書６を開口部７に入れ折り曲げ部１２を元に閉じるか、または、内フラップ２と外フラップ３の隙間に再挿入し、製品の入った梱包箱１を顧客に渡せる状態にするものである。
【産業上の利用可能性】
【００３１】
以上のように、本発明の梱包箱は、保証書付き取扱説明書を添付して製品を梱包する梱包箱において、保証書よりも分厚い保証書付き取扱説明書を簡単に収納でき、かつ、梱包箱を落としても、落下の衝撃で保証書よりも重い保証書付き取扱説明書が、梱包箱の中にずれ落ちないようにした梱包箱に適用することができる。
【符号の説明】
【００３２】
１  梱包箱
２  内フラップ
３  外フラップ
４  製品
５  包装支持部材
６  保証書付き取扱説明書
７  開口部
８  切り欠き段差部
９  勾配
１０  隙間
１１  ミシン目
１２  折り曲げ部
【図１】
0006467587.tif 000002
【図２】
0006467587.tif 000003
【図３】
0006467587.tif 000004
【図４】
0006467587.tif 000005
【図５】
0006467587.tif 000006
【図６】
0006467587.tif 000007
【図７】
0006467587.tif 000008
【図８】
0006467587.tif 000009